(57)【特許請求の範囲】
【請求項１】
本体の背面上部に吸込口を設け、前面下部に吹出口を設け、前記本体の下部に、下面が開放され内部空間を形成した基台を設け、前記吸込口と前記吹出口とを結ぶ空気通路に吸込空気と熱交換を行う放熱機と、同放熱機により熱交換された吸込空気を前記吹出口から室内に送出する送風ファンとを設け、前記放熱機と配管により接続され前記本体に設けられた接続部から、先端に温水プラグを備えた温水チューブを導出し、温水コンセントに前記温水プラグを接続してなるファンコンベクタにおいて、
前記接続部を、前記基台の内面上部に設けて、前記温水チューブを前記基台の内部空間に収納してなることを特徴とするファンコンベクタ。
【請求項２】
前記基台の内面上部に前記温水プラグの外形形状に適合した係止部を設けたことを特徴とする請求項１に記載のファンコンベクタ。
【請求項３】
前記基台の一側面に、前記温水チューブを外部に導出できる切欠き孔を設けたことを特徴とする請求項１に記載のファンコンベクタ。
【請求項４】
前記温水チューブの略中央部を、伸縮自在な部材で連結してなることを特徴とする請求項１に記載のファンコンベクタ。
【請求項５】
前記基台の上面に、前記温水コンセントに対向する透過部材からなる透視窓を設けてなることを特徴とする請求項１に記載のファンコンベクタ。
【請求項６】
前記基台の上面に開口部と、同開口部を開閉する開閉蓋を設け、同開閉蓋を開放することにより前記開口部から前記温水コンセントに前記温水プラグを挿抜できることを特徴とする請求項１に記載のファンコンベクタ。
【発明の詳細な説明】
【０００１】
【発明の属する技術分野】
本発明は、ファンコンベクタに係わり、より詳細には、本体の接続部に接続された温水チューブを使用者の目に触れないようにして、美観を向上させた構成に関する。
【０００２】
【従来の技術】
従来のファンコンベクタは例えば図６で示すような構成となっている。図６で示すファンコンベクタ３０は、後部パネル２と前面パネル３とで本体を構成し、同本体の背面上部に吸込口５を設け、前面下部に複数の風向偏向板４ａを備えた吹出口４を設けている。前記吸込口５と前記吹出口４とを結ぶ空気通路には、温水が循環する放熱器６と、同放熱器６と熱交換して暖められた空気を前記吹出口４から室内に送出する送風ファン７とが設けられている。壁面４１には室外に設置された室外機と配管４２により接続される温水コンセント１１が取付けられており、また、同温水コンセント１１には前記放熱器６と接続され前記ファンコンベクタ３０の本体背面下部から導出された温水チューブ３１が接続されている。
【０００３】
前記室外機から送出された温水は、前記配管４２を通り前記温水コンセント１１を介して前記温水チューブ３１により前記放熱器６に供給され、同放熱器６で熱交換した後、再び前記温水チューブ３１、前記温水コンセント１１及び前記配管４２を通って前記室外機に還流するようになっている。
【０００４】
しかしながら、前記温水チューブ３１は室内に露出している関係上、使用者にとって目障りであったり、また、これに脚を引っ掛けて転倒する危険があり、改善が望まれていた。
【０００５】
【発明が解決しようとする課題】
本発明は上記問題点に鑑み、本体から導出される温水チューブを使用者の目に触れないようにして美観を向上させるとともに、温水チューブに脚等を引っ掛ける危険性をなくし、また未使用時には、これを容易に収納することのできるファンコンベクタを提供することを目的とする。
【０００６】
【課題を解決するための手段】
本発明は上記課題を解決するため、本体の背面上部に吸込口を設け、前面下部に吹出口を設け、前記本体の下部に、下面が開放され内部空間を形成した基台を設け、前記吸込口と前記吹出口とを結ぶ空気通路に吸込空気と熱交換を行う放熱機と、同放熱機により熱交換された吸込空気を前記吹出口から室内に送出する送風ファンとを設け、前記放熱機と配管により接続され前記本体に設けられた接続部から、先端に温水プラグを備えた温水チューブを導出し、温水コンセントに前記温水プラグを接続してなるファンコンベクタにおいて、
前記接続部を、前記基台の内面上部に設けて、前記温水チューブを前記基台の内部空間に収納した構成となっている。
【０００７】
また、前記基台の内面上部に前記温水プラグの外形形状に適合した係止部を設けた構成となっている。
【０００８】
また、前記基台の一側面に、前記温水チューブを外部に導出できる切欠き孔を設けた構成となっている。
【０００９】
また、前記温水チューブの略中央部を、伸縮自在な部材で連結した構成となっている。
【００１０】
また、前記基台の上面に、前記温水コンセントに対向する透過部材からなる透視窓を設けた構成となっている。
【００１１】
更に、前記基台の上面に開口部と、同開口部を開閉する開閉蓋を設け、同開閉蓋を開放することにより前記開口部から前記温水コンセントに前記温水プラグを挿抜できる構成となっている。
【００１２】
【発明の実施の形態】
以下、本発明の実施の形態を、添付図面に基づいた実施例として詳細に説明する。
図１は本発明によるファンコンベクタを示す外観斜視図であり、図２はその断面図である。また図３は温水チューブの接続を示す斜視図である。
本発明によるファンコンベクタ１は、図１の外観斜視図で示すように、前面が開放された後部パネル２と、同後部パネル２の前面に装着される前面パネル３とで本体を構成し、同本体の下部に、下面が開放され内部空間を形成した基台１ａを設けている。前記本体には図２で示すように、背面上部に複数の桟により形成された吸込口５が設けられ、また前面下部には複数の風向偏向板４ａを備えた吹出口４が設けられている。
【００１３】
前記吸込口５と、前記吹出口４とを結ぶ空気通路には、等間隔で平行に並べられたフィンと、両端がＵ字管により連結され前記フィンに直交するように蛇行状に配設された伝熱管とからなる放熱器６と、同放熱器６と熱交換して暖められた空気を前記吹出口４から室内に送出する送風ファン７とが設けられている。
【００１４】
前記基台１ａの内面上部には、配管接続部１ｂが設けられている。同配管接続部１ｂの上面には、前記放熱器６の伝熱管と接続する配管９ａ及び配管１０ａとが接続されており、また前記配管接続部１ｂの下面には、図３（Ａ）で示すように、樹脂材からなる温水チューブ９、１０の一端が接続されている。同温水チューブ９、１０の他端には差込端子８ａを備えた温水プラグ８が接続され、またその長さは前記基台１ａの長手方向の寸法より若干短めとなるように設定されている。
【００１５】
屋外に設置された、図示しない室外機と配管で接続され、同室外機から送出された温水を前記ファンコンベクタ１に循環させる温水コンセント１１は、図３（Ｂ）で示すように、床面４０に取付けられる。前記ファンコンベクタ１を室内に設置する際は、まず前記温水チューブ９、１０の先端部の前記温水プラグ８の差込端子８ａを床面に取付けられた前記温水コンセント１１に差し込み、次に、前記温水コンセント１１、前記温水チューブ９、１０及び前記温水プラグ８を前記基台１ａで覆うようにして設置する。温水チューブ９、１０を前記基台１ａの内部空間に収納するようにして覆うことにより、使用者の目に触れることがなくなり美観が向上するとともに、使用者が前記温水チューブ９、１０に脚等を引っ掛けて転倒するというような危険性をなくすことができる。
【００１６】
前記ファンコンベクタ１の運転を開始すると、前記室外機から送出された温水は、床面に取付けられた前記温水コンセント１１を介して前記温水チューブ９と前記配管９ａを通り、前記放熱器６に流入する。前記吸込口５から吸込まれた室内空気は前記放熱器６の伝熱管内を流れる温水と熱交換して暖められ、前記送風ファン７により前記吹出口４から室内に送出される。前記放熱器６で熱交換した温水は、前記配管１０ａと前記温水チューブ１０を通り、前記温水コンセント１１を介して前記室外機に還流する。
【００１７】
夏季期間等においては前記ファンコンベクタ１は使用されないため、棚等に収納されることとなるが、その際、前記温水チューブ９、１０は、図３（Ａ）で示すように、前記基台１ａの内壁に前記温水プラグ８の外形形状に適合して形成された係止部１２に前記温水プラグ８を係止することにより、外部にはみだすことなく収納できるようになっている。また前記基台１ａの一側面には、切欠き１３が設けられており、前記温水コンセント１１が壁面に取付けられている際は、前記切欠き１３から前記温水チューブ９、１０を導出して前記温水コンセント１１に接続できるようになっている。
【００１８】
他の実施例は、図４（Ａ）で示すように、温水チューブ９、１０の略中央部を、蛇腹状に形成された伸縮部材１４及び１５で接続し、同伸縮部材１４及び１５が伸縮することにより前記ファンコンベクタ１の本体を若干左右方向に移動できるようにした構成となっている。また、図４（Ｂ）で示すように、基台の上面に、外部から前記温水コンセント１１を視認できる透過部材からなる透視窓１６を設け、前記温水コンセント１１と前記温水プラグ８との接続状態を確認できる構成となっている。更に図５で示すように、基台１７の上面に開口部と、同開口部を開閉する後端軸１８ａが前記基台１７に軸支された開閉蓋１８を設け、同開閉蓋１８を開放することにより前記温水コンセント１１と前記温水プラグ８との接続を行える構成となっている。
【００１９】
【発明の効果】
以上説明したように、本発明によると、本体下部に設けられた基台の内面上部に接続部を設け、同接続部を配管により本体内に設けられた放熱器に接続するとともに、温水プラグを先端に備えた温水チューブを接続し、また、室外機と配管により接続された温水コンセントを床面に取付け、前記温水チューブを前記基台で覆うようにして前記温水コンセントに接続することにより、前記温水チューブが使用者の目に触れることがなくなり美観が向上するとともに、これに使用者が脚等を引っ掛けて転倒するというような危険をなくすことのできるファンコンベクタとなる。
【図面の簡単な説明】
【図１】本発明によるファンコンベクタを示す外観斜視図である。
【図２】本発明によるファンコンベクタを示す断面図である。
【図３】（Ａ）は本発明によるファンコンベクタの温水チューブの取付を示す斜視図である。
（Ｂ）は本発明によるファンコンベクタを設置する状態を示す斜視図である。
【図４】（Ａ）は温水チューブの他の実施例を示す外観斜視図である。
（Ｂ）は基台に透視窓を設けた実施例を示す外観斜視図である。
【図５】基台に開閉蓋を設けた実施例を示す外観斜視図である。
【図６】従来例によるファンコンベクタを示す断面図である。
【符号の説明】
１  ファンコンベクタ
１ａ  基台
１ｂ  接続部
２  後部パネル
３  前面パネル
４  吹出口
４ａ  風向偏向板
５  吸込口
６  放熱器
７  送風ファン
８  温水プラグ
８ａ  差込端子
９  温水チューブ
９ａ  配管
１０  温水チューブ
１０ａ  配管
１１  温水コンセント
１２  係止部
１３  切欠き
１４  伸縮部材
１５  伸縮部材
１６  透視窓
１７  基台
１８  開閉蓋
１８ａ  後端軸
【図１】
0004320937.tif 000002
【図２】
0004320937.tif 000003
【図３】
0004320937.tif 000004
【図４】
0004320937.tif 000005
【図５】
0004320937.tif 000006
【図６】
0004320937.tif 000007